(57)【特許請求の範囲】
【請求項１】
上端が開口する集水器本体により雨樋用集水器を構成すると共に該集水器本体の互いに対応する壁部に排出口を対面して開設し、該集水器本体内方に、上方に連通する軒樋又は縦樋の排水口に対面し、前記対面する排出口に落葉等を雨水流により誘導すると共に該雨水を落葉等から可及的に分離する山形の雨水・落葉等誘導分離板を配備してなる落葉等の排出口付雨樋用集水器。
【請求項２】
雨樋用集水器は、上端が開口する集水器本体により構成すると共に該集水器本体の対応する壁部の三方面に排出口を開設し、該集水器本体内方に、上方に連通する軒樋又は縦樋の排水口に対面し、前記三方面に排出口に落葉等を雨水流により誘導すると共に該雨水を落葉等から可及的に分離する三方流下形の雨水・落葉等誘導分離板を配備してなる落葉等の排出口付雨樋用集水器。
【発明の詳細な説明】
【技術分野】
【０００１】
本発明は、落葉等を外方に排出する排出口付の雨樋用集水器に関するものである。
【背景技術】
【０００２】
従来、雨樋に溜った落葉は、乾燥していれば通常風により自然に落下するが、その落葉が集水器に入ると集積し、落葉詰りを起こすので、その軒樋に落葉除去装置を付けるのが一般的である。すなわち、特許文献１には、軒樋及び集水器の全部に網カバーを掛け、軒樋及び縦樋内に落葉が流れ込まないようにしたものが提案されている。
また、特許文献２には、集水器及びその接続する軒樋内面に接して部分的に部分網カバーを覆い、集水器に直接又は軒樋から落葉が流れ込まないようにしたものが提案されている。
また、特許文献３には、軒樋に対面する一縁に支軸を取り付け、この支軸を軒樋に支持される軸受具を中心に、網カバーを起伏可能に設けて覆うものが提案されている。
また、特許文献４には、縦樋の中間に網目部分と板部分とからなるゴミ採り装置を配置し、縦樋の中間にゴミを滞留させるものが提案されている。
【特許文献１】実開平７−１１３３号公報
【特許文献２】特開平１０−２０５０８３号公報
【特許文献３】特開平７−２２９２５４号公報
【特許文献４】特開平１０−１３１４３６号公報
【発明の開示】
【発明が解決しようとする課題】
【０００３】
前記、従来の前記特許文献１、特許文献２及び特許文献３の提案により軒樋の全体を網カバーで覆っているが、それらの網カバーに落葉が引っ掛かり、また、土砂が滞積し、面倒な掃除を定期的に行う必要があった。
【０００４】
同じく、従来の前記特許文献４に提案されるように、縦樋の中間にゴミ採り装置を配置するものにおいても、掃除を定期的に行う必要があった。したがって、従来のゴミ取り装置は、決して満足できるものではなかった。
【０００５】
本願発明者は、これまでも、特開２００２−６１３５０号公報及び特開２００３−２２７２１０号公報を提案しているが、さらに研究を重ねた結果、軒樋の一部及び全体に除去装置を取り付けることは、落葉の自然落下及び雨水の排水等にある程度の障害になるものであるから、軒樋には除去装置を付けずに軒樋に溜った落葉が乾燥状態で集水器に入っても雨水と共に集水器が詰ることなく、落葉を全て集水器の外に落下させる落葉排出機能を備える雨樋用集水器を案出するに至ったのである。
【課題を解決するための手段】
【０００６】
上端が開口する集水器本体により雨樋用集水器を構成すると共に該集水器本体の互いに対応する壁部に排出口を対面して開設し、該集水器本体内方に、上方に連通する軒樋又は縦樋の排水口に対面し、前記対面する排出口に落葉等を雨水流により誘導すると共に該雨水を落葉等から可及的に分離する山形の雨水・落葉等誘導分離板を配備してなる落葉等の排出口付雨樋用集水器にある。
【０００７】
雨樋用集水器は、上端が開口する集水器本体により構成すると共に該集水器本体の対応する壁部の三方面に排出口を開設し、該集水器本体内方に、上方に連通する軒樋又は縦樋の排水口に対面し、前記三方面に排出口に落葉等を雨水流により誘導すると共に該雨水を落葉等から可及的に分離する三方流下形の雨水・落葉等誘導分離板を配備してなる落葉等の排出口付雨樋用集水器としてもよいものである。
【発明の効果】
【０００８】
本発明の落葉等の排出口付雨樋用集水器は、前述のように構成させるから、軒樋の排水口の形状を変えて落葉等を開口部に誘導して排出し、雨水を風の抵抗を受けない分離板の上部から流すことにより落葉の障害にならず雨水を流下し易くすることができる。
【０００９】
また、本発明の集水器では、軒樋の排水口および集水器の開口部に落葉等を誘導して排出し、その周辺の落葉は、分離板の傾斜面から風により全て自然流下し溜ることは全くない。
【００１０】
また、本発明の集水器では、開口部は、両側面の二方向に設けることにより風の通りを良くして分離板の傾斜面から風により落葉等を自然に流下し集水器内に滞留を防止している。
【００１１】
また、本発明の集水器では、開口部は、正面及び両側面の三方向に設けることにより風の通りをさらに良くして分離板の傾斜面から落葉等を自然流下に寄与し、集水器内に一層の滞留防止を図っている。
【００１２】
従来の雨樋、集水器では落葉等の詰り状態の確認が困難であり、その確認は危険な作業であったが、本発明の集水器では、外部より詰り状態の確認が簡単にできる。万一、小枝等に引っ掛かりがあれば、釣り竿や庭木の手入れ用ハサミ等の用具により下から除去することができ、雨樋のメンテナンス作業が容易に行え、多くの人々の悩みが解消するものである。
【００１３】
切妻屋根の場合、雨樋（軒樋）の端に設置する集水器は、雨水の流れと、落葉の流失する方向に大きな排水口を設けることにより、雨水と落葉を分離板の傾斜面を通して落葉のみを滑落させ、詰り状態の確認及び掃除も簡単に行うことができる。
【発明を実施するための最良の形態】
【００１４】
集水器の正面と両側面の三方面に排出口を開設し、集水器の内方には前記三方面の排出口に落葉を誘導する三方面の傾斜面を持ち、該傾斜面に雨水のみを流下する透水孔を所要の間隔で開設し、該三方面の傾斜面の下縁を前記三方面の排出口に接続すると共に、該三方面の傾斜面に、前記三方面の排出口に落葉等を誘導する誘導滑走突条を所要の間隔で隆起設してなる落葉等の排出口付雨樋用集水器。
【実施例１】
【００１５】
図１〜図４は、実施例１の雨樋用集水器１を示すものである。軒樋２の中間部分で、左右の双方から雨水および落葉が流入する場合に使用する標準的な形態の枡形集水器であり、双方からの雨水及び落葉等を軒樋２の排水孔２ａより流下させ、枡形集水器本体３内には、雨水・落葉等誘導分離板４が収容配置される。
【００１６】
前記枡形集水器本体３は上端を集水口部５に開口し、上端の外面３ａに肉厚帯状部６を隆起して集水口部５を補強し、下方の内面３ｂは収束して底面部７に形成すると共に該底面部７に下方に突出する管状排水部８を形成し、該管状排水部８の下端を縦樋９に嵌合連通する。
【００１７】
前記枡形集水器本体３の左面壁部３ｃ１と右面壁部３ｃ２に、前記集水口部５を横断する前記軒樋２を係合して支える溝型係合左支承部１０ａと溝型係合右支承部１０ｂを形成する。
【００１８】
前記枡形集水器本体３の正面壁部３ｄ１に方形の本体正面排出口１１を開口し、前記溝型係合左支承部１０ａと溝型係合右支承部１０ｂにより支える軒樋２の排水孔２ａの下方に対向して前記雨水・落葉等誘導分離板４の下端４ａの上面を前記本体正面排出口１１の口縁下部１１ａに連通して支承し、反対の上端を背面壁部３ｄ２の上部の内面に連接して支承し、全体としてその上面を前下がり傾斜に架設する。
【００１９】
図３は、本体正面排出口１１の口縁下部１１ａに雨水・落葉等誘導分離板４の下端４ａを載置支承して外方に突出し、反対の上端４ｂの突出部４ｂ１、４ｂ２、４ｂ３を背面壁部３ｄ２に開口する係止孔１２に内方から嵌合し、外方に突出して係着支承している実施例を示している。原理的には、雨水・落葉等誘導分離板４の下端４ａの上面が本体正面排出口１１の口縁下部１１ａに一致して連通すればよく、実施例の連接構造に限定するものではない。雨水・落葉等誘導分離板４の上端４ｂについても同様で、突出部は、図示のように、両左右端と中央の一部としても、その他、図示しないが、適宜の間隔を存して数箇所に設けてもよいものである。また、背面壁部３ｄ２の内面３ｂにブラケット（図示しない）を設けこれに雨水・落葉等誘導分離板４の上端４ｂを連接支架してもよいものである。
【００２０】
前記雨水・落葉等誘導分離板４は、図４に示すように所要の間隔で透水孔１３を開口する板面部４ｃと、その上面に起立し傾斜方向に、互いに横方向に所要の間隔で並列する誘導兼滑走用突条１４が設けられている。
【００２１】
実施例１の雨樋用集水器１は、前述のように構成されるから、軒樋２の排水口２ａから、雨水及び落葉等が排出されて雨水・落葉等誘導分離板４に落下すると、雨水の大部分は、透水孔１３から底面部７に集水されて管状排水部８から縦樋９に導水されて排水される。また、落葉等は、誘導兼滑走用突条１４によって本体正面排出口１１に水流と共に誘導されて滑走し、本体正面排出口１１から外方に排出されるものである。そして、落葉等が本体正面排出口１１から排出されると、透水孔１３から雨水は、下方に流れて本体正面排出口１１から外方に流出することはない。落葉等が排出されず残置したときには、本体正面排出口１１が大きく開口するから容易に外方からこれを取り除くことができる。
【実施例２】
【００２２】
図５〜７は、実施例２の雨樋用集水器１５を示すものである。この実施例２の雨樋用集水器１５は、軒樋１６の中間部分で、該軒樋１６の排水孔１６ａより雨水は落葉等を流下させ、雨樋用集水器１５の枡形集水器本体１７内には、雨水は落葉等の落下に対して山形で２つの左面側傾斜面部１８ａと右面側傾斜面部１８ｂを持つ雨水・落葉等誘導分離板１８を配備し、該雨水・落葉等誘導分離板１８上を、落葉等を滑落させ、枡形集水器本体１７の左面壁部１７ｃ１に大きく開口する本体左面排出口１９を、右面壁部１７ｃ２に大きく開口する本体右面排出口２０を夫々設けて、該本体左面排出口１９と本体右面排出口２０から落葉等を水流と共に外方に排出し、水流は、雨水・落葉等誘導分離板１８より下方に通過させ、落葉等と水流を分離するように構成している。
【００２３】
前記雨水・落葉等誘導分離板１８は、図７に示すように、水と落葉等を分離する左面側傾斜面部１８ａと右面側傾斜面部１８ｂには、透水孔２１を所要の大きさで所要の間隔で配列し、また、該左面側傾斜面部１８ａと右面側傾斜面部１８ｂの上面には、落葉等を抵抗なく滑落させる平板状の誘導兼滑走用突条２２を傾斜方向に互いに横方向に所要の間隔で平行に隆設されている。
【００２４】
この実施例２の雨樋用集水器１５においても、前記実施例１と同様に、枡形集水器本体１７の上端を集水口部２３に開口し、該枡形集水器本体１７の上端の外面１７ａに肉厚帯状部２４を隆起して集水口部２３を補強し、該枡形集水器本体１７内において、前記雨水・落葉等誘導分離板１８が配備された下方の内面１７ｂは収束して底面部２５に形成すると共に下方に突出する管状排出部２６を形成し、該管状排出部２６の下端を縦樋２７に嵌合連通している。
【００２５】
この発明の実施例２の雨樋用集水器１５は、前述のように構成されるから、軒樋１６の排水口１６ａから雨水、落葉等が排出されて雨水・落葉等誘導分離板１８に落下すると、左右に分流され、落葉等は水流ともに誘導兼滑走用突条２２上を滑落し、本体左面排出口１９と本体右面排出口２０から自動的に外方に排出し、水流は透水孔２１から下方に流下させるものである。
【実施例３】
【００２６】
図８〜１３は、実施例３の雨樋用集水器２８を示すものである。軒樋２９と連通する枡形集水器本体３０と、その枡形集水器本体３０に収容配置する雨水・落葉等誘導分離板３１とから構成する。
【００２７】
前記枡形集水器本体３０の上端に集水口部３２を開口し、上端の外面３０ａに肉厚帯状部３３を隆起して集水口部３２を補強し、枡形集水器本体３０の下端の内面３０ｂの間を集束して底面部３４に形成すると共に該底面部３４に下方に突出する管状排水部３５を形成し、該管状排水部３５の下端を縦樋３６に嵌合連通する。
【００２８】
前記枡形集水器本体３０の左面壁部３０ｃ１と右面壁部３０ｃ２には、前記集水口部３２を横断する軒樋２９を支える溝型係合左支承部３７ａと溝型係合右支承部３７ｂを形成する。
【００２９】
前記枡形集水器本体３０の正面壁部３０ｄ１には、方形の本体正面排出口３８を開口し、また、前記枡形集水器本体３０の左面壁部３０ｃ１の溝型係合左支承部３７ａの下方に本体左面排出口３９を、右面壁部３０ｃ２の溝型係合右支承部３７ｂの下方に本体右面排出口４０を夫々開口設している。
【００３０】
前記雨水・落葉等誘導分離板３１は、正面側傾斜面部３１ａ、左面側傾斜面部３１ｂ及び右面側傾斜面部３１ｃを備え、前記溝型係合左支承部３７ａと溝型係合右支承部３７ｂにより支える軒樋２９の排水孔２９ａの下方に対向し、前記枡形集水器本体３０の内面３０ｂに周面を接続して底面部３４を中間位置で被蓋する。
【００３１】
正面側傾斜面部３１ａ、左面側傾斜面部３１ｂ及び右面側傾斜面部３１ｃは、透水孔４１を所要の間隔及び大きさで上下貫通して開口し、また、各上面には、互いに所要の間隔で並列して起立し、傾斜方向に誘導する誘導兼滑走用突条４２を列設している。
【００３２】
前記雨水・落葉等誘導分離板３１の正面側傾斜面部３１ａの下端３１ａ１は正面壁部３０ｄ１の本体正面排出口３８に、左面側傾斜面部３０ｂの下端３１ｂ１は本体左面排出口３９に、右面側傾斜面部３０ｃの下端３０ｃ１は本体右面排出口４０に夫々連通している。
【００３３】
実施例３の雨樋用集水器２８は、前述のように構成されるから、軒樋２９の排水口２９ａから、雨水及び落葉等が排出されて雨水・落葉等誘導分離板３１に落下すると、雨水の大部分は、透水孔４１から底面部３４に集水されて管状排水部３５から縦樋３６に排水される。また、落葉等は、誘導兼滑走用突条４２によって本体正面排出口３８、本体左面排出口３９、本体右面排出口４０へ水流と共に誘導されて滑走し、該本体正面排出口３８、本体左面排出口３９、本体右面排出口４０から外方に排出されるものである。
【産業上の利用可能性】
【００３４】
本発明の落葉等の排出口付雨樋用集水器は、軒樋の一部及び全体に除去装置を必要としないものであり、構成が簡単であるから省資源的で安価に提供でき、また、自然の風力、雨水の流水力を利用する落葉排出機能を備えて、住宅の雨樋に関してメンテナンスフリー化が期待でき、画期的効果を奏するものである。
【図面の簡単な説明】
【００３５】
【図１】本発明の雨樋用集水器の第１実施例を示す正面図である。
【図２】同じく、側面図である。
【図３】図１のＡ−Ａ線に沿う断面図である。
【図４】本発明の第１実施例の雨樋用集水器内に配置される第１実施例の落葉分離排除板単体の斜視図である。
【図５】本発明の雨樋用集水器の第２実施例を示す側面図である。
【図６】図５のＢ−Ｂ線に沿う断面図である。
【図７】本発明の第２実施例を示す雨樋用集水器に配置される第２実施例の落葉分離排除板単体の一部を切断省略した斜視図である。
【図８】本発明の雨樋用集水器の第３実施例を示す正面図である。
【図９】同じく、第３実施例の側面図である。
【図１０】図８のＣ−Ｃ線に沿う断面図である。
【図１１】図９のＤ−Ｄ線に沿う断面図である。
【図１２】図９のＥ−Ｅ線に沿う断面図である。
【図１３】本発明の第３実施例を示す雨樋用集水器に配置される第３実施例の落葉分離排除板単体の斜視図である。
【符号の説明】
【００３６】
１  実施例１の雨樋用集水器
２  軒樋
２ａ  排水孔
３  枡形集水器本体
３ａ  外面
３ｂ  内面
３ｃ１  左面壁部
３ｃ２  右面壁部
３ｄ１  正面壁部
３ｄ２  背面壁部
４  雨水・落葉等誘導分離板
４ａ  下端
４ｂ  上端
４ｂ１  突出部
４ｂ２  突出部
４ｂ３  突出部
４ｃ  板面部
５  集水口部
６  肉厚帯状部
７  底面部
８  管状排水部
９  縦樋
１０ａ  溝型係合左支承部
１０ｂ  溝型係合右支承部
１１  本体正面排出口
１１ａ  口縁下部
１２  係止孔
１３  透水孔
１４  誘導兼滑走用突条
１５  実施例２の雨樋用集水器
１６  軒樋
１６ａ  排水孔
１７  枡形集水器本体
１７ａ  外面
１７ｂ  内面
１７ｃ１  左面壁部
１７ｃ２  右面壁部
１８  雨水・落葉等誘導分離板
１８ａ  左面側傾斜面部
１８ｂ  右面側傾斜面部
１９  本体左面排出口
２０  本体右面排出口
２１  透水孔
２２  誘導兼滑走用突条
２３  集水口部
２４  肉厚帯状部
２５  底面部
２６  管状排出部
２７  縦樋
２８  実施例３の雨樋用集水器
２９  軒樋
２９ａ  排水孔
３０  枡形集水器本体
３０ａ  外面
３０ｂ  内面
３０ｃ１  左面壁部
３０ｃ２  右面壁部
３０ｄ１  正面壁部
３１  雨水・落葉等誘導分離板
３１ａ  正面側傾斜面部
３１ａ１  下端
３１ｂ  左面側傾斜面部
３１ｂ１  下端
３１ｃ  右面側傾斜面部
３１ｃ１  下端
３２  集水口部
３３  肉厚帯状部
３４  底面部
３５  管状排水部
３６  縦樋
３７ａ  溝型係合左支承部
３７ｂ  溝型係合右支承部
３８  本体正面排出口
３９  本体左面排出口
４０  本体右面排出口
４１  透水孔
４２  誘導兼滑走用突条
【図１】
0004969352.tif 000002
【図２】
0004969352.tif 000003
【図３】
0004969352.tif 000004
【図４】
0004969352.tif 000005
【図５】
0004969352.tif 000006
【図６】
0004969352.tif 000007
【図７】
0004969352.tif 000008
【図８】
0004969352.tif 000009
【図９】
0004969352.tif 000010
【図１０】
0004969352.tif 000011
【図１１】
0004969352.tif 000012
【図１２】
0004969352.tif 000013
【図１３】
0004969352.tif 000014